(57)【要約】【課題】特殊な酸溶媒などを用いず、簡易な装置で汚染土壌の中から、一定粒径の重金属汚染物および／または重金属汚染土壌と清浄土壌とを容易に分離することができること。【解決手段】洗浄水を用いて汚染土壌Ｓの粒径に応じた湿式分級を行うドラム洗浄機２，トロンメル３，スパイラル分級機４，水洗スクリーン７である湿式分級装置と、各湿式分級装置に用いられる洗浄水を循環させ、前記湿式分級装置に該洗浄水を供給し、該洗浄水を繰り返し使用する洗浄水循環装置であるバッファ槽１１，リパルプ槽１２，ろ過水槽１３，ろ過水ポンプ１４，貯水槽１５と、前記洗浄水循環装置によって循環され、粒径０．２ｍｍ未満の粒状物と洗浄水とを含む循環流体から前記洗浄水を脱水し、この粒状物を汚染濃縮土壌Ｓ１として得るフィルタープレス５と、を備える。【選択図】        図２
2006035103.tif 000002
【特許請求の範囲】
【請求項１】
湿式分級を用いて重金属汚染土壌から所定粒径以下の濃縮汚染土壌と所定粒径を越えた清浄土壌とを得る重金属汚染土壌処理システムにおいて、
洗浄水を用いて前記重金属汚染土壌の粒径に応じた湿式分級を行う１以上の湿式分級装置と、
前記１以上の湿式分級装置に用いられる洗浄水を循環させ、前記湿式分級装置に該洗浄水を供給し、該洗浄水を繰り返し使用する洗浄水循環装置と、
前記洗浄水循環装置によって循環され、前記所定粒径以下の粒状物と洗浄水とを含む循環流体から前記洗浄水を脱水し、前記所定粒径以下の粒状物を前記濃縮汚染土壌として得るとともに、脱水された前記洗浄水を前記湿式分級装置側に戻す分離装置と、
を備えたことを特徴とする重金属汚染土壌処理システム。
【請求項２】
前記分離装置によって脱水された前記洗浄水は、粒径が小さい範囲の湿式分級を行う前記湿式分級装置に戻されることを特徴とする請求項１に記載の重金属汚染土壌処理システム。
【請求項３】
前記湿式分級装置によって分級された粒径物を濯ぐ濯ぎ水を前記湿式分級装置に供給するとともに、濯ぎ後の濯ぎ水を繰り返し使用する濯ぎ水循環装置を備えたことを特徴とする請求項１または２に記載の重金属汚染土壌処理システム。
【請求項４】
前記濯ぎ水循環装置は、濯ぎ後の濯ぎ水に含まれる重金属を凝集・中和して沈殿させ、この沈殿物を前記分離装置に送出することを特徴とする請求項３に記載の重金属汚染土壌処理システム。
【請求項５】
前記濯ぎ後の濯ぎ水を洗浄水として用い、洗浄後の洗浄水を前記洗浄水循環装置に送出する脱泥装置を備えたことを特徴とする請求項３または４に記載の重金属汚染土壌処理システム。
【請求項６】
前記重金属汚染土壌は、ほぼ一定粒径の重金属粒状物を含み、
前記湿式分級装置によって分級され、前記重金属粒状物を含む粒径範囲の粒状物の中から、該重金属粒状物を比重によって選別する比重選別機を備えたことを特徴とする請求項１〜５のいずれか一つに記載の重金属汚染土壌処理システム。
【請求項７】
ほぼ一定粒径の重金属粒状物を含む重金属汚染土壌から該重金属粒状物を取り出す重金属汚染土壌処理システムにおいて、
前記重金属汚染土壌に対して少なくとも前記ほぼ一定粒径を含む範囲の粒状物を湿式分級する湿式分級装置と、
前記湿式分級装置によって分級された前記ほぼ一定粒径を含む範囲の粒状物の中から、前記重金属粒状物を比重によって選別する比重選別機と、
を備えたことを特徴とする重金属汚染土壌処理システム。
【請求項８】
前記重金属粒状物は、鉛玉であることを特徴とする請求項６または７に記載の重金属汚染土壌処理システム。
【請求項９】
前記湿式分級装置による分級処理前に、前記重金属汚染土壌を乾式分級する乾式分級装置を備え、該乾式分級装置によって分級された小さい粒径を有する重金属汚染土壌を前記湿式分級装置に送出することを特徴とする請求項１〜８のいずれか一つに記載の重金属汚染土壌処理システム。
【請求項１０】
湿式分級を用いて重金属汚染土壌から所定粒径以下の濃縮汚染土壌と所定粒径を越えた清浄土壌とを得る重金属汚染土壌処理方法において、
洗浄水を用いて前記重金属汚染土壌の粒径に応じた湿式分級を行う湿式分級工程と、
前記湿式分級工程に用いられる洗浄水を循環させ、前記湿式分級の処理に該洗浄水を供給し、該洗浄水を繰り返し使用する洗浄水循環工程と、
前記洗浄水循環工程によって循環され、前記所定粒径以下の粒状物と洗浄水とを含む循環流体から前記洗浄水を脱水し、前記所定粒径以下の粒状物を前記濃縮汚染土壌として得るとともに、脱水された前記洗浄水を前記湿式分級の処理側に戻す分離工程と、
を含むことを特徴とする重金属汚染土壌処理方法。
【請求項１１】
前記分離工程によって脱水された前記洗浄水は、粒径が小さい範囲の湿式分級を行う前記湿式分級工程に戻されることを特徴とする請求項１０に記載の重金属汚染土壌処理方法。
【請求項１２】
前記湿式分級工程によって分級された粒径物を濯ぐ濯ぎ水を前記湿式分級工程に供給するとともに、濯ぎ後の濯ぎ水を繰り返し使用する濯ぎ水循環工程を含むことを特徴とする請求項１０または１１に記載の重金属汚染土壌処理方法。
【請求項１３】
前記濯ぎ水循環工程は、濯ぎ後の濯ぎ水に含まれる重金属を凝集・中和して沈殿させ、この沈殿物を前記分離工程に送出することを特徴とする請求項１２に記載の重金属汚染土壌処理方法。
【請求項１４】
前記濯ぎ後の濯ぎ水を洗浄水として用い、洗浄後の洗浄水を前記洗浄水循環工程に送出する脱泥工程を含むことを特徴とする請求項１２または１３に記載の重金属汚染土壌処理方法。
【請求項１５】
前記重金属汚染土壌は、ほぼ一定粒径の重金属粒状物を含み、
前記湿式分級工程によって分級され、前記重金属粒状物を含む粒径範囲の粒状物の中から、該重金属粒状物を比重によって選別する比重選別工程を含むことを特徴とする請求項１０〜１４のいずれか一つに記載の重金属汚染土壌処理方法。
【請求項１６】
ほぼ一定粒径の重金属粒状物を含む重金属汚染土壌から該重金属粒状物を取り出す重金属汚染土壌処理方法において、
前記重金属汚染土壌に対して少なくとも前記ほぼ一定粒径を含む範囲の粒状物を湿式分級する湿式分級工程と、
前記湿式分級工程によって分級された前記ほぼ一定粒径を含む範囲の粒状物の中から、前記重金属粒状物を比重によって選別する比重選別工程と、
を含むことを特徴とする重金属汚染土壌処理方法。
【請求項１７】
前記重金属粒状物は、鉛玉であることを特徴とする請求項１５または１６に記載の重金属汚染土壌処理方法。
【請求項１８】
前記湿式分級工程による分級処理前に、前記重金属汚染土壌を乾式分級する乾式分級工程を含み、該乾式分級工程によって分級された小さい粒径を有する重金属汚染土壌を前記湿式分級工程に送出することを特徴とする請求項１０〜１７のいずれか一つに記載の重金属汚染土壌処理方法。
【発明の詳細な説明】
【技術分野】
【０００１】
この発明は、湿式分級を用いて重金属汚染土壌から所定粒径以下の濃縮汚染土壌と所定粒径を越えた清浄土壌とを得る重金属汚染土壌処理システムおよび重金属汚染土壌処理方法に関するものである。
【背景技術】
【０００２】
従来から、重金属によって汚染された土壌は、その粒度別に分級されることによって、清浄土壌および高濃度の重金属を含有する汚染土壌に選別され、この汚染土壌のみを除去することによって浄化される。この選別された清浄土壌は、汚染土壌が掘削された原位置に復土される。
【０００３】
一般に、汚染土壌における重金属は、微細粒度の土粒子に吸着された状態で存在していることが多い。すなわち、高濃度の重金属を含有する土壌と重金属をほとんど含有しない土壌とは、粒度分布の観点で分離されている。したがって、汚染土壌の重金属および粒度分布を把握し、その粒度別に汚染土壌を分級することによって、この汚染土壌から重金属汚染土壌および清浄土壌を選別分離することができる。
【０００４】
なお、この分級によって選別分離された重金属汚染土壌は、セメントによる固形化、薬剤による化学的不溶化、あるいは汚染土壌の溶融によるスラグ化によって無害化処理され、再利用される。
【０００５】
また、汚染物質である含有重金属を酸溶媒中に抽出分離することによって、重金属汚染土壌を洗浄し、洗浄土壌を回収する重金属汚染土壌の修復方法もある（特許文献１参照）。
【０００６】
【特許文献１】特開平１１−１５６３３８号公報
【発明の開示】
【発明が解決しようとする課題】
【０００７】
しかしながら、上述した従来の重金属汚染土壌処理は、酸溶媒などを用いて重金属汚染土壌を抽出分離するようにしていたため、装置が複雑でありメンテナンスにも多大の時間と労力とがかかるという問題点があった。
【０００８】
一方、射撃場などでは、ほぼ一定粒径をもつ散弾の鉛玉が土壌中に散乱しており、この土壌も重金属汚染土壌となる。この散弾の鉛玉を確実かつ効率よく回収できる装置の出現が要望されていた。
【０００９】
この発明は、上記に鑑みてなされたものであって、特殊な酸溶媒などを用いず、簡易な装置で汚染土壌の中から、一定粒径の重金属汚染物および／または重金属汚染土壌と清浄土壌とを容易に分離することができる重金属汚染土壌処理システムおよび重金属汚染土壌処理方法を提供することを目的とする。
【課題を解決するための手段】
【００１０】
上述した課題を解決し、目的を達成するために、請求項１にかかる重金属汚染土壌処理システムは、湿式分級を用いて重金属汚染土壌から所定粒径以下の濃縮汚染土壌と所定粒径を越えた清浄土壌とを得る重金属汚染土壌処理システムにおいて、洗浄水を用いて前記重金属汚染土壌の粒径に応じた湿式分級を行う１以上の湿式分級装置と、前記１以上の湿式分級装置に用いられる洗浄水を循環させ、前記湿式分級装置に該洗浄水を供給し、該洗浄水を繰り返し使用する洗浄水循環装置と、前記洗浄水循環装置によって循環され、前記所定粒径以下の粒状物と洗浄水とを含む循環流体から前記洗浄水を脱水し、前記所定粒径以下の粒状物を前記濃縮汚染土壌として得るとともに、脱水された前記洗浄水を前記湿式分級装置側に戻す分離装置と、を備えたことを特徴とする。
【００１１】
また、請求項２にかかる重金属汚染土壌処理システムは、上記の発明において、前記分離装置によって脱水された前記洗浄水は、粒径が小さい範囲の湿式分級を行う前記湿式分級装置に戻されることを特徴とする。
【００１２】
また、請求項３にかかる重金属汚染土壌処理システムは、上記の発明において、前記湿式分級装置によって分級された粒径物を濯ぐ濯ぎ水を前記湿式分級装置に供給するとともに、濯ぎ後の濯ぎ水を繰り返し使用する濯ぎ水循環装置を備えたことを特徴とする。
【００１３】
また、請求項４にかかる重金属汚染土壌処理システムは、上記の発明において、前記濯ぎ水循環装置は、濯ぎ後の濯ぎ水に含まれる重金属を凝集・中和して沈殿させ、この沈殿物を前記分離装置に送出することを特徴とする。
【００１４】
また、請求項５にかかる重金属汚染土壌処理システムは、上記の発明において、前記濯ぎ後の濯ぎ水を洗浄水として用い、洗浄後の洗浄水を前記洗浄水循環装置に送出する脱泥装置を備えたことを特徴とする。
【００１５】
また、請求項６にかかる重金属汚染土壌処理システムは、上記の発明において、前記重金属汚染土壌は、ほぼ一定粒径の重金属粒状物を含み、前記湿式分級装置によって分級され、前記重金属粒状物を含む粒径範囲の粒状物の中から、該重金属粒状物を比重によって選別する比重選別機を備えたことを特徴とする。
【００１６】
また、請求項７にかかる重金属汚染土壌処理システムは、ほぼ一定粒径の重金属粒状物を含む重金属汚染土壌から該重金属粒状物を取り出す重金属汚染土壌処理システムにおいて、前記重金属汚染土壌に対して少なくとも前記ほぼ一定粒径を含む範囲の粒状物を湿式分級する湿式分級装置と、前記湿式分級装置によって分級された前記ほぼ一定粒径を含む範囲の粒状物の中から、前記重金属粒状物を比重によって選別する比重選別機と、を備えたことを特徴とする。
【００１７】
また、請求項８にかかる重金属汚染土壌処理システムは、上記の発明において、前記重金属粒状物は、鉛玉であることを特徴とする。
【００１８】
また、請求項９にかかる重金属汚染土壌処理システムは、上記の発明において、前記湿式分級装置による分級処理前に、前記重金属汚染土壌を乾式分級する乾式分級装置を備え、該乾式分級装置によって分級された小さい粒径を有する重金属汚染土壌を前記湿式分級装置に送出することを特徴とする。
【００１９】
また、請求項１０にかかる重金属汚染土壌処理方法は、湿式分級を用いて重金属汚染土壌から所定粒径以下の濃縮汚染土壌と所定粒径を越えた清浄土壌とを得る重金属汚染土壌処理方法において、洗浄水を用いて前記重金属汚染土壌の粒径に応じた湿式分級を行う湿式分級工程と、前記湿式分級工程に用いられる洗浄水を循環させ、前記湿式分級の処理に該洗浄水を供給し、該洗浄水を繰り返し使用する洗浄水循環工程と、前記洗浄水循環工程によって循環され、前記所定粒径以下の粒状物と洗浄水とを含む循環流体から前記洗浄水を脱水し、前記所定粒径以下の粒状物を前記濃縮汚染土壌として得るとともに、脱水された前記洗浄水を前記湿式分級の処理側に戻す分離工程と、を含むことを特徴とする。
【００２０】
また、請求項１１にかかる重金属汚染土壌処理方法は、上記の発明において、前記分離工程によって脱水された前記洗浄水は、粒径が小さい範囲の湿式分級を行う前記湿式分級工程に戻されることを特徴とする。
【００２１】
また、請求項１２にかかる重金属汚染土壌処理方法は、上記の発明において、前記湿式分級工程によって分級された粒径物を濯ぐ濯ぎ水を前記湿式分級工程に供給するとともに、濯ぎ後の濯ぎ水を繰り返し使用する濯ぎ水循環工程を含むことを特徴とする。
【００２２】
また、請求項１３にかかる重金属汚染土壌処理方法は、上記の発明において、前記濯ぎ水循環工程は、濯ぎ後の濯ぎ水に含まれる重金属を凝集・中和して沈殿させ、この沈殿物を前記分離工程に送出することを特徴とする。
【００２３】
また、請求項１４にかかる重金属汚染土壌処理方法は、上記の発明において、前記濯ぎ後の濯ぎ水を洗浄水として用い、洗浄後の洗浄水を前記洗浄水循環工程に送出する脱泥工程を含むことを特徴とする。
【００２４】
また、請求項１５にかかる重金属汚染土壌処理方法は、上記の発明において、前記重金属汚染土壌は、ほぼ一定粒径の重金属粒状物を含み、前記湿式分級工程によって分級され、前記重金属粒状物を含む粒径範囲の粒状物の中から、該重金属粒状物を比重によって選別する比重選別工程を含むことを特徴とする。
【００２５】
また、請求項１６にかかる重金属汚染土壌処理方法は、ほぼ一定粒径の重金属粒状物を含む重金属汚染土壌から該重金属粒状物を取り出す重金属汚染土壌処理方法において、前記重金属汚染土壌に対して少なくとも前記ほぼ一定粒径を含む範囲の粒状物を湿式分級する湿式分級工程と、前記湿式分級工程によって分級された前記ほぼ一定粒径を含む範囲の粒状物の中から、前記重金属粒状物を比重によって選別する比重選別工程と、を含むことを特徴とする。
【００２６】
また、請求項１７にかかる重金属汚染土壌処理方法は、上記の発明において、前記重金属粒状物は、鉛玉であることを特徴とする。
【００２７】
また、請求項１８にかかる重金属汚染土壌処理方法は、上記の発明において、前記湿式分級工程による分級処理前に、前記重金属汚染土壌を乾式分級する乾式分級工程を含み、該乾式分級工程によって分級された小さい粒径を有する重金属汚染土壌を前記湿式分級工程に送出することを特徴とする。
【発明の効果】
【００２８】
この発明にかかる重金属汚染土壌処理システムおよび重金属汚染土壌処理方法は、湿式分級を用いて重金属汚染土壌から所定粒径以下の濃縮汚染土壌と所定粒径を越えた清浄土壌とを得る際、洗浄水を用いて前記重金属汚染土壌の粒径に応じた湿式分級を行い、前記湿式分級に用いられる洗浄水を循環させ、前記湿式分級の処理に該洗浄水を供給し、該洗浄水を繰り返し使用し、前記所定粒径以下の粒状物と洗浄水とを含む循環流体から前記洗浄水を脱水し、前記所定粒径以下の粒状物を前記濃縮汚染土壌として得るとともに、脱水された前記洗浄水を前記湿式分級処理側に戻すようにしているので、基本的に水のみを用い、特殊な酸溶媒などを用いず、簡易な装置で汚染土壌の中から、一定粒径の重金属汚染物および／または重金属汚染土壌と清浄土壌とを容易に分離することができるという効果を奏する。
【発明を実施するための最良の形態】
【００２９】
以下、この発明を実施するための最良の形態である重金属汚染土壌処理システムおよび重金属汚染土壌処理方法について説明する。
【００３０】
（実施の形態１）
まず、実施の形態１にかかる重金属汚染土壌処理システムについて説明する。図１は、この重金属汚染土壌処理システムの概要構成を示すブロック図である。なお、ここで処理する汚染土壌は、射撃場の土壌であり、散弾の鉛玉が土壌中に散乱しており、この鉛玉の粒径は、２ｍｍ程度である。図１において、この重金属汚染土壌システムは、汚染土壌Ｓをグリズリなどによって乾式分級を行う前処理装置１と、湿潤解砕および湿式分級を行うドラム洗浄機２，湿式分級を行うトロンメル３，スパイラル分級機４，脱泥スクリーン６，水洗スクリーン７などの湿式分級機群と、フィルタープレス５と、比重選別機８とを有する。
【００３１】
前処理装置１は、上述したように、運ばれてきた汚染土壌Ｓをグリズリなどによって乾式分級を行い、粒径が１００ｍｍ以上の大塊Ｓ７と粒径が１００ｍｍ未満の粒状物とに分離される。大塊Ｓ７は、その後、破砕などを行って再び前処理装置１あるいはドラム洗浄機２によって分級処理されるようにしてもよい。
【００３２】
ドラム洗浄機２は、前処理装置１によって分級された粒径が１００ｍｍ未満の粒状物を湿潤解砕し、粒径が０．２ｍｍ以上と０．２ｍｍ未満との粒状物に湿式分級する。トロンメル３は、ドラム洗浄機２によって分級された０．２ｍｍ以上の粒状物に対してさらに、粒径が８ｍｍ以上と８ｍｍ未満との粒状物に湿式分級する。この粒径が８ｍｍ以上かつ１００ｍｍ未満の粒状物は、清浄土壌Ｓ６としてコンテナＣ６に格納される。
【００３３】
スパイラル分級機４は、ドラム洗浄機２によって分級された粒径が０．２ｍｍ未満の粒状物およびトロンメル３によって分級された粒径が８ｍｍ未満の粒状物を湿式分級し、粒径が０．２ｍｍ以上の粒状物と粒径が０．２ｍｍ未満の粒状物とに分離する。脱泥スクリーン６は、スパイラル分級機４によって分級された粒径が０．２ｍｍ以上かつ８ｍｍ未満の粒状物に対し、この粒状物の表面の付着した重金属を含む泥を取り除く処理を行う。
【００３４】
水洗スクリーン７は、脱泥スクリーン６によって泥が除かれた粒径が０．２ｍｍ以上かつ８ｍｍ未満の粒状物を、粒径が０．２ｍｍ以上かつ１ｍｍ未満の粒状物と、粒径が１ｍｍ以上かつ４ｍｍ未満の粒状物と、粒径が４ｍｍ以上かつ８ｍｍ未満の粒状物とに湿式分級を行う。水洗スクリーン７によって分級された粒径が０．２ｍｍ以上かつ１ｍｍ未満の粒状物と、粒径が４ｍｍ以上かつ８ｍｍ未満の粒状物とは、それぞれ清浄土壌Ｓ２，Ｓ５としてコンテナＣ２，Ｃ５に格納される。
【００３５】
比重選別機８は、粒径が１ｍｍ以上かつ４ｍｍ未満の粒状物の中から、上述した粒径が約２ｍｍの鉛玉を比重選別する。重金属汚染物としての鉛玉Ｓ３は、比重が約１１以上であり、その他の粒状物は、比重が約２〜３程度であるため、比重選別機８は、この比重差を用いて、揺動水の中で分離し、選別する。この比重選別機８の詳細については後述する。この比重選別機８に選別された鉛玉Ｓ３は、コンテナＣ３の中に格納され、その他の粒径が１ｍｍ以上かつ４ｍｍ未満の粒状物は、清浄土壌Ｓ４としてコンテナＣ４に格納される。
【００３６】
フィルタープレス５は、スパイラル分級機４によって分級された粒径が０．２ｍｍ未満の粒状物を含む泥水に対して脱水処理を行い、重金属が濃縮されたケーキを生成する。このケーキは、汚染濃縮土壌Ｓ１としてコンテナＣ１に格納される。
【００３７】
この重金属汚染土壌処理システムでは、上述したように汚染濃縮土壌Ｓ１と、鉛玉Ｓ３と、その他の清浄土壌Ｓ２，Ｓ４〜Ｓ６とに分級するようにしているが、さらに基本的に洗浄水や濯ぎ水などの水のみを用いて湿式分級し、かつこの水を循環再利用するようにしている。
【００３８】
図２は、上述した重金属汚染土壌処理システムの水系を含めたシステム概要構成を示すブロック図である。まず、湿式分級を行う洗浄水系Ｗ１の処理系は、バッファ槽１１，リパルプ槽１２，ろ過水槽１３，ろ過水ポンプ１４，および貯水槽１５を有する。
【００３９】
バッファ槽１１から送出された洗浄水は、ドラム洗浄機２に供給され、前処理装置１から分級された粒径１００ｍｍ未満の粒状物を洗浄し、この粒状物に付着した重金属を洗浄水中に含ませる。このドラム洗浄機２による洗浄後の洗浄水は、その後スパイラル分級機４に供給される。スパイラル分級機４は、この洗浄後の洗浄水を洗浄水として用い、粒径が８ｍｍ未満の粒状物を洗浄し、この粒状物に付着した重金属を含む洗浄水をバッファ槽１１に戻す。このバッファ槽１１に戻る洗浄水には、重金属を含むが、この重金属はスパイラル分級機４によって分級された粒径が０．２ｍｍ未満の粒状物に付着している。すなわち、重金属が多く付着する粒径０．２ｍｍ未満の粒状物を含む泥水が、洗浄水としてバッファ槽１１に戻ることになる。ここで、この洗浄水は、バッファ槽１１→ドラム洗浄機２→スパイラル分級機４→バッファ槽１１を経由する循環系Ｒ１として循環再利用されるとともに、重金属が濃縮されることになる。
【００４０】
この循環系Ｒ１の洗浄水の一部は、リパルプ槽１２に送られ、このリパルプ槽１２は、重金属を多く含む粒径０．２ｍｍ未満の粒状物を含む洗浄水をフィルタープレス５に供給する。フィルタープレス５は、重金属を多く含む粒径０．２ｍｍ未満の粒状物をケーキ化して汚染濃縮土壌Ｓ１を生成するとともに、脱水された洗浄水は、その後、ろ過水槽１３に供給され、ろ過水ポンプ１４によってろ過された洗浄水である、ろ過水Ｗ３は、貯水槽１５に貯えられる。なお、重金属を多く含む粒径０．２ｍｍ未満の粒状物を含む洗浄水をフィルタープレス５に供給する前に、リパルプ槽１２において、洗浄水に、凝集剤、高分子凝集剤、中和剤などを用いた凝集中和を施してもよい。この場合、洗浄水となるろ過水の清浄状態維持、ろ過効率の向上、ケーキの脱水効率と脱水性の向上を図ることができる。
【００４１】
貯水槽１５に貯えられたろ過水は、トロンメル３に供給され、粒径０．２ｍｍ以上８ｍｍ未満の粒状物の洗浄に用いられる。このトロンメル３での洗浄後の洗浄水は、スパイラル分級機４に供給され、スパイラル分級機４での洗浄に用いられ、その後上述した循環系Ｒ１の洗浄水と合流し、バッファ槽１１に送られる。すなわち、ろ過水Ｗ３は、循環系Ｒ１と同様に、ろ過水槽１３→ろ過水ポンプ１４→貯水槽１５→トロンメル３→スパイラル分級機４→バッファ槽１１→リパルプ槽１２→フィルタープレス５→ろ過水槽１３を循環し、再利用される。なお、ろ過水Ｗ３と循環系Ｒ１の洗浄水とはスパイラル分級機４およびバッファ槽１１で合流することになるが、それぞれ再利用されるので、新たな水の追加は少ない。また、ろ過水Ｗ３をトロンメル３に供給するのは、ろ過水Ｗ３が洗浄水系Ｗ１に比して重金属を含んだ粒状物が少ないため、ドラム洗浄機２が洗浄する粒状物よりも、このドラム洗浄機２によって、ある程度洗浄された粒状物を洗浄する方が好ましく、洗浄効率が向上するからである。
【００４２】
つぎに、濯ぎ水系Ｗ２について説明する。この濯ぎ水系では、分級された粒状物を濯ぎ、粒状物に付着している重金属を最終的に除こうとするものである。この濯ぎ水系Ｗ２では、凝集中和槽２１、シックナー２２、および貯水槽２３を有する。
【００４３】
濯ぎ水は、貯水槽２３からトロンメル３、水洗スクリーン７、および比重選別機８に供給される。トロンメル３に供給された濯ぎ水は、洗浄後の粒状物を濯ぎ、その後この濯ぎ水は、脱泥スクリーン６に供給される。脱泥スクリーン６は、スパイラル分級機４によって分級された粒径０．２ｍｍ以上かつ８ｍｍ未満の粒状物に付着した重金属を含む微細な粒状物（泥）を洗い流し、この泥を含む濯ぎ水を洗浄水としてバッファ槽１１に送出する。このバッファ槽１１に送出された濯ぎ水は、その後洗浄水として用いられる。
【００４４】
一方、水洗スクリーン７および比重選別機８に供給された濯ぎ水は、それぞれ粒状物を濯いで、この粒状物に付着した重金属を濯ぎ水に含ませて凝集中和槽２１に戻される。凝集中和槽２１では、戻った濯ぎ水に凝集剤、高分子凝集剤、および水酸化物などの中和剤を投入して凝集中和を行い、これら凝集剤、高分子凝集剤および中和剤が混在した濯ぎ水をシックナー２２に送出する。この凝集中和時に、さらに重金属捕集剤を添加してもよい。シックナー２２では、凝集剤、高分子凝集剤によって重金属を含む凝集物を沈殿によって取り除き、中和された濯ぎ水を貯水槽２３に送出する。シックナー２２によって取り除かれた凝集物は、リパルプ槽１２に送られ、その後フィルタープレス５によって汚染濃縮土壌Ｓ１となる。一方、中和された濯ぎ水は、再びトロンメル３、水洗スクリーン７および比重選別機８に供給され、循環再利用される。したがって、この濯ぎ水も、洗浄水と同様に、新たな濯ぎ水としての水の追加を少なくすることができ、やや閉じた水系を形成している。ここで、濯ぎ水を、水洗スクリーン７および比重選別機８で使用した後、凝集中和槽２１に戻す前に、濯ぎ水中に混入した−０．２ｍｍ微細粒分を、自然沈降によって分離させてもよい。すなわち、凝集中和槽２１の前段にカロコーンと呼ばれる微細粒分の自然沈降槽をさらに設けても良い。このカロコーンの−０．２ｍｍ微細粒の沈降物は、フィルタープレス５に送出され、汚染濃縮土壌Ｃ１として分離してもよいし、産物としてカロコーンから抜き出し、清浄土壌か汚染濃縮土壌かを分析評価し、この分析評価結果によって、産物として処理するようにしてもよい。
【００４５】
なお、上述した実施の形態１では、脱泥スクリーン６を設けて、重金属汚染物を確実に取り除いているが、重金属汚染状態によっては、設けなくてもよい。また、上述した実施の形態１では、凝集中和槽２１を設けているが、重金属汚染状況によっては、凝集中和槽２１を設けず、シックナー２２を自然沈殿槽として構成してもよい。この場合、このシステム全体が全く薬液を用いず、水のみによって重金属汚染処理を行うことができる。
【００４６】
この実施の形態１では、ドラム洗浄機２、トロンメル３、スパイラル分級機４、および水洗スクリーン７などの湿式分級機を用いて汚染土壌Ｓを分級し、重金属が多く付着する粒径０．２ｍｍ未満の粒状物をケーキ化した汚染濃縮土壌Ｓ１を得るとともに、比重選別機８を用いて粒径２ｍｍ程度の鉛玉Ｓ３を選別分離することができる。この湿式分級の際に用いる洗浄水および濯ぎ水は循環再利用され、閉じた水系を形成することによって、システム全体が用いる水の補充量を少なくすることができる。しかも、この実施の形態１では、汚染濃縮土壌Ｓ１、鉛玉Ｓ３、および清浄土壌Ｓ２，Ｓ４〜Ｓ６を基本的に水のみを用いて得ることができる。
【００４７】
（実施の形態２）
つぎに、この発明の実施の形態２について説明する。上述した実施の形態１では、汚染濃縮土壌Ｓ１、鉛玉Ｓ３、および清浄土壌Ｓ２，Ｓ４〜Ｓ６を分離して得ようとするものであったが、この実施の形態２では、鉛玉Ｓ３が最も汚染物として重要であり、この鉛玉Ｓ３を優先して取り除くようにしている。
【００４８】
図３は、この発明の実施の形態２にかかる重金属汚染土壌処理システムの概要構成を示すブロック図である。図３に示すように、この重金属汚染土壌処理システムは、ドラム洗浄機２の後段に比重選別機８を設けている。比重選別機８は、ドラム洗浄機２によって分級された粒径０．２ｍｍ以上１００ｍｍ未満の粒状物の中から、比重の大きい鉛玉Ｓ３を選別し、コンテナＣ３に格納し、その他の粒状物を清浄土壌Ｓ１１としてコンテナＣ１１に格納している。
【００４９】
この実施の形態２では、比重選別機８を用いて最も大きな重金属汚染物である鉛玉Ｓ３を簡易かつ短時間に取り出すことができる。なお、比重選別機８によって選別された鉛玉Ｓ３以外の粒状物は、汚染状態が低い場合、清浄土壌Ｓ１１として分離することができる。
【００５０】
なお、この実施の形態２では、鉛玉Ｓ３のみを効率よく取り出すシステムであったが、これに限らず、比重選別機８によって鉛玉Ｓ３が取り除かれた粒状物に対して上述したトロンメル３以降の処理を行わせ、ドラム洗浄機２によって分級された粒径０．２ｍｍ未満の粒状物に対してもスパイラル分級機４以降の処理を行わせるようにしてもよい。すなわち、図２に示す重金属汚染土壌処理システムにおいて、比重選別機８をドラム洗浄機２の直後に設けるようにしてもよい。この場合、汚染濃縮土壌Ｓ１や、汚染度が低い清浄土壌Ｓ２，Ｓ４〜Ｓ６を得ることができる。なお、この場合、比重選別機８の設置場所は、湿式分級を行っているドラム洗浄機２の後段から水洗スクリーン７の前段までであればよい。
【００５１】
（実施の形態３）
つぎに、この発明の実施の形態３について説明する。上述した実施の形態１に示した比重選別機８は、鉛玉Ｓ３が選別できればよく、その構成については言及しなかったが、この実施の形態３では、鉛玉Ｓ３の比重選別処理に伴う汚染の拡大を抑止するとともに、簡易な比重選別処理ができるようにしている。
【００５２】
図４は、この発明の実施の形態３である比重選別機８の詳細構成を示す断面図である。図４において、この比重選別機８は、槽３０の中に揺動水Ｗ１０が満たされ、その略中央部に槽３０を上下に分離する透過網３１が設けられ、この透過網３１の上部に一定の粒径を持ったアルミナ玉である中間粒状物３７が敷き詰められる。また、透過網３１の下部の揺動水Ｗ１０内に、揺動水Ｗ１０内を上下に揺動する揺動部３６を有する。この揺動部３６は、上に凸の形状をもつ板状部材からなり、図示しない揺動駆動部および揺動制御部によって揺動される。
【００５３】
この状態で、揺動部３６が所定の周期と振幅で上下動し、槽３０の上部から鉛玉Ｓ３を含んだ砂礫３５などの粒状物が流入される。この粒状物は、たとえば水洗スクリーン７によって分級された粒径１ｍｍ以上かつ４ｍｍ未満の粒状物である。この場合、中間粒状物３７の粒径は６ｍｍであり、透過網３１の開口径は４ｍｍであり、鉛玉Ｓ３の粒径は２ｍｍである。また、砂礫３５の比重は２〜３程度であり、中間粒状物３７の比重は３．９であり、鉛玉Ｓ３の比重は１１程度である。
【００５４】
槽３０の上部から流入された粒状物は、中間粒状物３７の上部に巻かれ、揺動水Ｗ１０の揺動に伴って上下動をするが、比重が大きい鉛玉Ｓ３の落下速度は大きく、比重が小さい砂礫３５の落下速度は小さい。このため、鉛玉Ｓ３は揺動水Ｗ１０の下方に集まり、砂礫３５は揺動水Ｗ１０の上方に集まる。ここで、中間粒状物３７は、揺動水Ｗ１０の揺動に伴って上下動するが、比重が鉛玉Ｓ３と砂礫３５との中間の値であるため、揺動水Ｗ１０の中間位置に集まる。この結果、中間粒状物３７は、透過網３１の上部の揺動水Ｗ１０内において中間層３２を形成し、中間層３２の下層に鉛玉Ｓ３からなる下位層３４が形成されるとともに、中間層３２の上層に砂礫３５からなる上位層３３が形成される。下位層３４を形成する鉛玉Ｓ３は、中間層３２の上部において揺動水Ｗ１０の揺動に伴って砂礫３５の中を落下し、中間層３２の上下動に伴う間隙を通って下位層３４に達する。なお、揺動水Ｗ１０の揺動周期において停止する期間が設けられ、この停止期間では、上述した中間層３２が上位層３３と下位層３４とが混じり合うのを防止する壁として機能する。
【００５５】
下位層３４に達した鉛玉Ｓ３は、中間層３２と透過網３１との間に挟まれるが、透過網３１の開口径が４ｍｍであるため、２ｍｍの鉛玉Ｓ３は、透過網３１を透過し、透過網３１の下部の揺動水Ｗ１０中に落下する。なお、中間粒状物３７の粒径は、６ｍｍであるため、透過網３１を透過しない。また、砂礫３５は、粒径にかかわらず、中間層３２の下部に到達することがないため、透過網３１を透過しない。この落下した鉛玉Ｓ３は、槽３０の下部に設けられた取出部３８の開閉によって収納袋３９内にまとめて取り出すことができる。
【００５６】
槽３０の上縁部の一端には、他端よりも低く、この一端の外部にチャンバ４０が設けられる。チャンバ４０は、揺動水４０の揺動によって溢れた砂礫と揺動水とを受け、砂礫と揺動水とを分離する。チャンバ４０は、下に凸の形状をなし、上部は網４２に覆われている。また、チャンバ４０の中央には、槽３０に近い領域と遠い領域とを分離する仕切り板４１が設けられる。
【００５７】
槽３０の上縁部の一端から溢れた砂礫と揺動水とは、チャンバ４０の網４２上であって槽３０に近い領域に撒かれ、網４２が傾斜していることから、砂礫はそのまま槽３０に遠い領域の網４２上に移動する。一方、網４２を透過した揺動水は、チャンバ４０の下部に設けられた開口４３から取り出され、槽３０の揺動水として供給され、循環再利用される。
【００５８】
一方、槽３０に遠い領域の網４２上に達した砂礫は、この上部に配置されたノズルから撒かれる濯ぎ水によって濯がれ、その後コンテナＣ４内に粒径１ｍｍ以上４ｍｍ未満の粒状物である清浄土壌Ｓ４として格納される。濯ぎ水は、チャンバ４０の下部に設けられた開口４４から取り出され、その後凝集中和槽２１に供給され、濯ぎ水として循環再利用されるとともに、重金属汚染物が凝集物として回収される。
【００５９】
ここで、この比重選別機８では、中間粒状物３７を設け、しかも透過網３１を用いて鉛玉Ｓ３を取り出しているので、砂礫３５が混じらない鉛玉Ｓ３だけを迅速かつ確実に選別することができる。また、鉛玉Ｓ３が砂礫３５との摩耗によって鉛片が生じても、この鉛片の比重が大きいため、砂礫３５に混じることがなく、清浄土壌Ｓ４を確実に得ることができる。さらに、砂礫３５と鉛玉Ｓ３との直接摩耗の時間が少ないことから、鉛イオンが析出することが少なく、揺動水Ｗ１０が重金属に汚れにくくなるため、揺動水Ｗ１０の循環再利用が実現できる。
【００６０】
なお、上述した中間粒状物３７は、粒径６ｍｍで比重３．９のアルミナ玉を用いたが、さらに異なる比重をもつ中間粒状物を混在させ、複数の中間層３２を形成するようにしてもよい。この中間粒状物としては、たとえば比重７．９のステンレス玉を用いることが好ましい。なお、中間粒状物の粒径は、鉛玉よりも大きいことが望ましい。
【００６１】
また、上述した実施の形態１〜３では、いずれも鉛玉Ｓ３を例にとって説明したが、鉛玉Ｓ３に限らず、重金属であってほぼ一定粒径をもつものであればよい。
【図面の簡単な説明】
【００６２】
【図１】この発明の実施の形態１である重金属汚染土壌処理システムの概要構成を示すブロック図である。
【図２】図１に示した重金属汚染土壌処理システムに洗浄水系および濯ぎ水系を加えたシステム構成を示すブロック図である。
【図３】この発明の実施の形態２である重金属汚染土壌処理システムの概要構成を示すブロック図である。
【図４】この発明の実施の形態３である比重選別機の構成を示す断面図である。
【符号の説明】
【００６３】
１  前処理装置
２  ドラム洗浄機
３  トロンメル
４  スパイラル分級機
５  フィルタープレス
６  脱泥スクリーン
７  水洗スクリーン
８  比重選別機
１１  バッファ槽
１２  リパルプ槽
１３  ろ過水槽
１４  ろ過水ポンプ
１５，２３  貯水槽
２１  凝集中和槽
２２  シックナー
３０  槽
３１  透過網
３２  中間層
３３  上位層
３４  下位層
３５  砂礫
３６  揺動部
３７  中間粒状物
３８  取出部
３９  収納袋
４０  チャンバ
４１  仕切り板
４２  網
４３，４４  開口
Ｓ  汚染土壌
Ｓ１  汚染濃縮土壌
Ｓ２，Ｓ４〜Ｓ６，Ｓ１１  清浄土壌
Ｓ３  鉛玉
Ｓ７  大塊
Ｃ１〜Ｃ６，Ｃ１１  コンテナ
Ｗ１  洗浄水系
Ｗ２  濯ぎ水系
Ｗ３  ろ過水
Ｗ１０  揺動水
Ｒ１  循環系
【図１】
2006035103.tif 000003
【図２】
2006035103.tif 000004
【図３】
2006035103.tif 000005
【図４】
2006035103.tif 000006